(57)【要約】【課題】商品の購入に伴って付与されるポイントの内訳を分析し、このポイント分析の結果を商品の販売促進に利用することが望まれている。【解決手段】実施形態のポイント管理システムは、入力手段と、商品のポイント還元率を記憶するポイント還元率記憶部と、このポイント還元率記憶部からポイント還元率を取得する還元率取得手段と、入力手段により入力された前記識別データで識別される商品の単価と前記還元率取得手段により取得したポイント還元率とを用いて、前記商品の購入ポイントを算出するポイント算出手段と、このポイント算出手段により算出された購入ポイントを商品毎に集計する第１集計手段と、商品の期間ごとの購入ポイントを集計する期間集計記憶部と、前記第１集計手段により集計した購入ポイントを、時計回路を参照し、該当する期間の期間集計記憶部に記憶するポイント記憶部とを備える。【選択図】図１０
2014044463.tif 000002
【特許請求の範囲】
【請求項１】
商品の識別データを入力する入力手段と、
商品毎に予め定められたポイント還元率を記憶するポイント還元率記憶部と、
このポイント還元率記憶部からポイント還元率を取得する還元率取得手段と、
前記入力手段により入力された前記識別データで識別される商品の単価と前記還元率取得手段により取得したポイント還元率とを用いて、前記商品の購入ポイントを算出するポイント算出手段と、
このポイント算出手段により算出された購入ポイントを商品毎に集計する第１集計手段と、
時計回路と、
商品の期間ごとの購入ポイントを集計する期間集計記憶部と、
前記第1集計手段により集計した購入ポイントを、前記時計回路を参照し、該当する期間の期間集計記憶部に記憶するポイント記憶部と、
を備えたことを特徴とするポイント管理システム。
【請求項２】
前記ポイント算出手段により算出された購入ポイントから前記商品が属するグループの
購入ポイントを集計する第２集計手段と、をさらに備え、
前記ポイント記憶部は、前記第２集計手段にて集計した購入ポイントを前記グループ毎
に記憶することを特徴とする請求項１記載のポイント管理システム。
【請求項３】
支払種別毎に予め定められたポイント倍率を記憶するポイント倍率記憶部と、をさらに
備え、
前記ポイント記憶部は、前記ポイント算出手段により算出された購入ポイントを前記ポ
イント倍率記憶部に記憶されたポイント倍率にて倍数した購入ポイントを記憶することを
特徴とする請求項１又は２に記載のポイント管理システム。
【発明の詳細な説明】
【技術分野】
【０００１】
本発明の実施形態は、購入した商品に応じて付与されるポイントを所定の項目別に集計可能なポイント管理システムに関する。
【背景技術】
【０００２】
現在、購入した商品の価格等に応じてポイントを付与する商品販売データ処理装置が広く知られている。
【０００３】
この種の商品販売データ処理装置は、顧客へのサービスの一環として購入した商品の価格に応じたポイントを付与する処理を実行する。顧客は、次回の商品購入の際にポイントを使用することで、ポイント数に応じた値引きサービスを受けることが可能となる。
【先行技術文献】
【特許文献】
【０００４】
【特許文献１】特開２００１−７６２５６号公報
【発明の概要】
【発明が解決しようとする課題】
【０００５】
したがって、顧客においては、商品購入に伴って付与されるポイントを値引金額と同じ価値と捉える考えが浸透しており、商品購入の際のポイント付与の大小は、商品の売り上げに少なからず影響を及ぼすものと考えられる。
【０００６】
かかる事情から、商品の購入に伴って付与されるポイントの内訳を分析し、このポイント分析の結果を商品の販売促進に利用することが望まれている。
【課題を解決するための手段】
【０００７】
上記課題を解決するために、本実施形態のポイント管理システムは、商品の識別データを入力する入力手段と、商品毎に予め定められたポイント還元率を記憶するポイント還元率記憶部と、このポイント還元率記憶部からポイント還元率を取得する還元率取得手段と、前記入力手段により入力された前記識別データで識別される商品の単価と前記還元率取得手段により取得したポイント還元率とを用いて、前記商品の購入ポイントを算出するポイント算出手段と、このポイント算出手段により算出された購入ポイントを商品毎に集計する第１集計手段と、時計回路と、商品の期間ごとの購入ポイントを集計する期間集計記憶部と、前記第１集計手段により集計した購入ポイントを、前記時計回路を参照し、該当する期間の期間集計記憶部に記憶するポイント記憶部とを備える。
【０００８】
備える。
【０００９】
また、本実施形態の商品販売データ処理装置は、商品の識別データを入力する入力手段と、商品毎に予め定められたポイント還元率を記憶する商品ポイント還元率記憶部と、この商品ポイント還元率記憶部から商品ポイント還元率を取得する還元率取得手段と、前記入力手段により入力された前記識別データで識別される商品の単価と前記還元率取得手段により取得したポイント還元率とを用いて、前記商品の購入ポイントを算出するポイント算出手段と、このポイント算出手段により算出された購入ポイントを商品毎に集計する第１ポイント集計手段と、この第１ポイント集計手段により集計した商品毎の購入ポイントを記憶するポイント記憶部と、を備える。
【図面の簡単な説明】
【００１０】
【図１】本実施形態のＰＯＳ端末の要部構成を示すブロック図。
【図２】本実施形態のＰＯＳ端末のＲＡＭのデータ構造を示す図。
【図３】本実施形態のストアコンピュータの要部構成を示すブロック図。
【図４】本実施形態の商品マスタファイルが記憶するデータを示す図。
【図５】本実施形態の本実施形態の支払い種別マスタファイルが記憶するデータを示す図。
【図６】本実施形態のポイントマスタファイルが記憶するデータ構造を示す図。
【図７】本実施形態のＰＯＳ端末のＣＰＵが実行する1顧客との商取引に関する処理の流れを示すフローチャート。
【図８】本実施形態のＰＯＳ端末のＣＰＵが実行する商品登録処理に関する処理の流れを示すフローチャート。
【図９】本実施形態のＰＯＳ端末のＲＡＭが記憶する商取引データを示す図。
【図１０】本実施形態のストアコンピュータが実行する集計処理に関する処理の流れを示すフローチャート。
【図１１】本実施形態のポイントマスタファイルが記憶するデータ構造を示す図。
【発明を実施するための形態】
【００１１】
以下、添付図面を参照して、本発明の実施形態に係るポイント管理システムを詳細に説明する。
【００１２】
図１はポイント管理システム１の全体構成を示すブロック図である。ポイント管理システム１は、複数台の商品販売データ処理装置であるＰＯＳ（Point‐Of‐Sales）端末１０と、このＰＯＳ端末１０にデータ送受信可能にネットワーク接続されたストアコンピュータ２０とを備える。
【００１３】
図１において、ＰＯＳ端末１０は、制御部本体としてＣＰＵ（Central Processing Unit）１０１が実装されている。このＣＰＵ１０１に、アドレスバス，データバス等のバスライン１０５を介して、ＲＯＭ（Read Only Memory）１０２及びＲＡＭ（Random Access Memory）１０３のメモリ部、現在の日付及び時刻を計時する時計部１０４、各入出力機器１０７〜１１２とのインターフェイス部１０６、ストアコンピュータ２０との間のデータ通信を制御する通信コントローラ１０７等が接続される。
【００１４】
以下に、入出力機器の説明をする。プリンタ１０７は、ＣＰＵ１１の制御により、１取引で販売された商品の品名，価格や合計金額等の取引明細データが印字されたレシートを発行する。
【００１５】
キーボード１０８は、数値データを置数するための「００」および「０」〜「９」の置数キー、この置数キーによって置数された数値データがＰＬＵ（Price Look Up）コードであることを指令するＰＬＵキー、数値データが乗数であることを指令する×キー、数値データが割引率であることを指令する割引キー、数値データが値引額であることを指令する値引キー、数値データのクリア等を指令するクリアキー、１取引の小計出力を指令する小計キー、１取引の現金締めを指令する預／現計キー、販売商品がポイント計算から除外することを宣言する除外キー等を有する。
【００１６】
スキャナ１０９は、各商品に付されたバーコードを読取るものである。各商品には、その商品固有の商品コードを示すバーコードが付されている。ここに、スキャナ１０９は、商品識別データの入力手段として機能する。なお、商品コードは、ＰＬＵコードとしてキーボード１０８の置数キーとＰＬＵキーとにより入力することもできる。
【００１７】
カードリーダ１１０は、ポイントカードに記録された顧客コードを含むカードデータを読取る。
【００１８】
ディスプレイ１１１は、ＰＯＳ端末１０のオペレータに対し、１取引として販売される商品の品名，価格や合計金額等を表示する。また、客用表示器１１２は、この１取引の顧客に対してディスプレイ１１１と同様の情報を表示する。
【００１９】
また、ＰＯＳ端末１０は、ＲＡＭ１０３を有する。図２は、ＲＡＭ１０３の記憶領域を示したものであり、ＲＡＭ１０３には、商品登録情報バッファ１０３１、商品登録情報件数カウンタ１０３２、カードフラグエリア１０３３が形成される。
【００２０】
商品登録情報バッファ１０３１は、１取引で販売される商品毎に、部門コード、商品コード、品名（商品名称）、単価、ポイント還元率、販売点数、販売金額、購入ポイント、からなる商品登録情報レコードを蓄積する。商品登録情報件数カウンタ１０３２は、商品登録情報バッファ１０３１に蓄積された取引の件数Ｎが計数される。カードフラグエリア１０３３は、ポイントカードを提示した顧客との商取引であるか否かを識別するためのものである。カードを提示した顧客との商取引であるときには、カードフラグＣＦは“１”にセットされる。なお、ＲＡＭ１０３は、レシートを印字する印字バッファ（図示しない）なども有する。
【００２１】
図３は、ストアコンピュータ２０の全体構成を示すブロック図である。ストアコンピュータ２０は、ＣＰＵ２０１が実装されている。このＣＰＵ２０１に、バスライン２０５を介して、ＲＯＭ２０２、ＲＡＭ２０３、タイマ２０４、プリンタ２０７、キーボード２０８、ディスプレイ２０９、ＨＤＤ（Ｈａｒｄ  Ｄｉｓｋ  Ｄｒｉｖｅ）２１０等が接続される。
【００２２】
ＨＤＤ２１０は、ＣＰＵ２１０を動作させる各種プログラムのほか、商品マスタファイル２１０１、顧客マスタファイル２１０２、支払種別マスタファイル２１０３、売上ファイル２１０４、ポイントマスタファイル２１０５と、を備える。
【００２３】
図４は、ストアコンピュータ２０の商品マスタファイル２１０１を示す図である。商品マスタファイル２１０１は、商品毎に設定された商品識別データである固有の商品コードに、その部門コード、商品の名称（品名）やその商品一点あたりの価格である単価、その商品の価格に対するポイント還元率（％）、すなわち商品別のポイント還元率（％）と、が対応付けて記憶される
顧客マスタファイル２１０２は、会員として登録された各顧客を識別するために顧客毎に設定された顧客識別データである固有の顧客コードに、その顧客の氏名， 点数， 金額等の売上実績データ， 最新の累計ポイント等が対応付けて記憶される。
【００２４】
図５は、ストアコンピュータ２０の支払種別マスタファイル２１０３を示す図である。支払種別マスタファイル２１０３は、一取引の締め手段である「現金」、「電子マネー」、「クレジット」のそれぞれに対応してポイント倍率が定められている。このポイント倍率は、例えば、「現金」による支払いにて一取引が締められた場合、この一取引にて付与されるポイントが、支払種別の「現金」に対応した倍率で倍数されることを定めている。例えば、支払種別「現金」は、図５の支払種別マスタファイルに「１倍」とされているので最終的に各商品に付与されるポイントは、一商品の単価と還元率とから算出されるポイントを１倍したポイントが付与される。同様に、「電子マネー」により一取引が締められた場合、付与されるポイントは１．５倍となり、「クレジットカード」により一取引が締められた場合、２倍されたポイントが付与される。
【００２５】
売上ファイル２１０４は、ＰＯＳ端末１０から送信された一取引の売上げデータ（ポイント情報を含む）を受信し、順次蓄積するファイルである。
【００２６】
ポイントマスタファイル２１０５は、顧客識別データ２１０２又は売上ファイル２１０４に記憶されているポイント情報を収集して記憶する。図６は、このポイントマスタファイル２１０５のデータ構造を示す図である。ポイントマスタファイル２１０５は、部門コード、商品名、販売点数、販売金額、商品別累積ポイント、部門別累積ポイントと、をそれぞれ対応づけて記憶する。なお、商品名と商品別累積ポイントとがそれぞれ対応付けられて記憶され、同様に部門コードと部門別累積ポイントとについても各々が対応付けられて記憶される。
【００２７】
次に、ＰＯＳ端末１０とストアコンピュータ２０とで構成されるポイント管理システム１の売上処理の動作を説明する。
【００２８】
図７は、１顧客との商取引に関するＰＯＳ端末１０のＣＰＵ１０１が実行する処理を示すフローチャートである。
【００２９】
ＣＰＵ１０１は、カードフラグエリア１０３３を調べる（Ａｃｔ７０１）。当初、カードフラグエリア１０３３は「０」にセットされているので（Ａｃｔ７０１のＹ）、Ａｃｔ７０２に進み、ＣＰＵ１０１は、カード登録有無を判断する。
【００３０】
Ａｃｔ７０２にて、カードリーダ１１０を介してポイントカードのカードデータが読取られことを検知した場合、ＣＰＵ１０１は、カード登録有りと判断する（Ａｃｔ７０２のＹ）。ＣＰＵ１０１は、そのカードデータをＲＡＭ１０３に書き込み（Ａｃｔ７０３）、カードフラグエリア１０３３を「１」にセットする（Ａｃｔ７０４）。カードフラグエリア１０３３に書き込まれたカードデータから顧客コードを取得し、この顧客コードでストアコンピュータ２０に通信コントローラ１０７を介して問合せを行う。しかる後、ＣＰＵ１０１は、Ａｃｔ７０５の処理に進む。
【００３１】
Ａｃｔ７０２にてポイントカードのカードデータが読取られておらず、カード登録無しと判断した場合（Ａｃｔ７０２のＮ）、ＣＰＵ１０１は、Ａｃｔ７０３、Ａｃｔ７０４の処理を行わずにＡｃｔ７０５の処理に進む。
【００３２】
Ａｃｔ７０１にてカードフラグエリア１０３３が「１」にセットされていた場合には、カードデータがセーブされており、ポイントカードを提示したポイント会員との商取引なので、ＣＰＵ１０１は、Ａｃｔ７０２〜Ａｃｔ７０４の処理を飛ばしてＡｃｔ７０５の処理に進む。
【００３３】
次に、Ａｃｔ７０５では、ＣＰＵ１０１は商品登録が行われるのを待機する。ここで、キーボード１０８またはスキャナ１０９の商品コード入力手段を介して商品コードが入力されると、ＣＰＵ１０１は、商品登録有りと判断する（Ａｃｔ７０５のＹ）。次に、Ａｃｔ７０６の商品登録処理に進む。
【００３４】
図８を用いてＡｃｔ７０６にてＣＰＵ１０１が実行する商品登録処理を説明する。ＣＰＵ１０１は、Ａｃｔ７０５にて、入力された商品コードでストアコンピュータ２０に通信コントローラ１０７を介して問合せを行い、この入力された商品コードに対応して商品マスタファイル２１０１にセットされている商品名称、単価、商品毎に設定されているポイント還元率、等の商品情報を読込む（Ａｃｔ７０６１）。
【００３５】
次にＣＰＵ１０１は商品別ポイント還元率を利用して購入ポイントを計算するので、ＣＰＵ１０１は、商品マスタファイル２１０１から読込んだ商品情報中のポイント還元率を取得する（Ａｃｔ７０６２）。
【００３６】
次に、ＣＰＵ１０１は、スキャナ１０９またはキーボード１０８から入力された商品コードに対応する商品の単価Ａ（円）とポイント換算率Ｂ（％）とから、下記（１）式により購入ポイントＰ（小数点以下は切捨て）を算出する。
【００３７】
Ｐ ＝（Ａ×Ｂ）／１００    …（１）
そして、この算出された購入ポイントＰを部門コード、商品コード、商品名称、単価、ポイント還元率にそれぞれ対応付けてＲＡＭ１０３の商品登録情報バッファ１０３１に記憶する（Ａｃｔ７０６４）。その後、Ａｔ７０７の処理に進む。
【００３８】
Ａｃｔ７０７において、２品目以降の商品登録有無を判断する（Ａｃｔ７０７）。そして、商品コードが入力され、商品登録有りとなった場合には（Ａｃｔ７０７のＹ）、Ａｃｔ７０６の商品登録処理を再度実行する。商品登録無しの場合（Ａｃｔ７０７のＮ）、ＣＰＵ１０１は、登録締めの有無を判断する（Ａｃｔ７０８）。キーボード１０８の預／現計キーが操作されると、ＣＰＵ１０１は、登録締め有りと判断する（Ａｃｔ７０８のＹ）。これに対し、預／現計キー４８が操作されておらず登録締め無しと判断した場合（Ａｃｔ７０８のＮ）、ＣＰＵ１０１は、Ａｃｔ７０７の商品登録判断処理に戻る。
【００３９】
次に、Ａｃｔ７０８にて、例えば、預／現計キー等の締めキーが操作されると、次にＣＰＵ１０１は、支払いが行なわれた支払い種別を判断する（Ａｃｔ７０９）。そして、ＣＰＵ１０１は、支払が行なわれた支払種別でストアコンピュータ２０に通信コントローラ１０７を介して問合せを行う。そして、支払種別マスタファイル２１０３に記憶されている支払種別に対応する倍率データを取得し、この支払種別に対応して記憶されている倍率で、先に算出したそれぞれの商品の購入ポイントを倍数する（Ａｃｔ７１０）。
【００４０】
次に、ＣＰＵ１０１は、Ａｃｔ７１０にて倍率された購入ポイントをＲＡＭ１０３の商品登録情報バッファ１０３１に再度記憶しなおす（Ａｃｔ７１１）。
【００４１】
そして、Ａｃｔ７１２にてＣＰＵ１０１は登録締め処理を実行する。次に、ＣＰＵ１０１は、商品登録情報バッファ１０３１に格納された全ての商品登録情報レコードの販売点数， 販売金額などを用いて、レシートデータを作成し（Ａｃｔ７１３）、プリンタ１０７の駆動を制御して、ＲＡＭ１０３の印字バッファにセーブされている印字データのレシート用紙への一括印字を行わせ、レシートを発行させる（Ａｃｔ７１４）。
【００４２】
次に、ＣＰＵ１０１は、商品登録情報バッファ１０３１に記憶されている今回取引の売上データ（各商品の名称、販売点数、販売金額、ポイント等）の各データ、をストアコンピュータ２０に転送して（Ａｃｔ７１５）、当該１顧客との商取引に関する情報処理を終了する。
【００４３】
なお、ストアコンピュータ２０においては、ＰＯＳ端末１０から転送されてきたデータから今回取引の各商品の点数，金額及びポイントの各データエリアを取得する。そして、図９に示すように一取引毎にＰＯＳ端末１０から送信される各商品の点数，金額及びポイントなどを売上ファイル２１０４に順次記憶する。
【００４４】
次に、図１０にてストアコンピュータ２０のＣＰＵ２０１が実行するポイント集計処理について説明する。
【００４５】
ストアコンピュータ２０のＣＰＵ２０１は、各ＰＯＳ端末１０から送信された売上データが蓄積されている売上ファイル２１０５から集計対象とする日付が記憶されている全取引データを検索する（Ａｃｔ１００１）。
【００４６】
ＣＰＵ２０１は、集計対象とした日付が対応付けられた全取引データから各取引データに含まれる同一の商品コードに対応付けられた商品の販売点数、販売金額、購入ポイントをそれぞれ抽出する（Ａｃｔ１００２）。そして、この抽出した同一の商品コードに対応する販売点数、販売金額、購入ポイントを合算する。この合算した商品コードに対応する販売点数、販売金額、購入ポイントをポイントマスタファイル２１０５（図６）の所定のデータエリアに商品毎に記憶する（Ａｃｔ１００３）。
【００４７】
次に、ＣＰＵ２０１は、集計対象とした日付が対応付けられた全取引データの中に含まれる全商品コードに対して、販売点数、販売金額、購入ポイントを抽出したか否かを判断する（Ａｃｔ１００４）。全商品コードについて、集計がされていないと判断した場合（Ａｃｔ１００４のＮ）、再度、Ａｃｔ１００２に戻り、集計が未だとなっている商品コードに対応する販売点数、販売金額、購入ポイントを抽出し、これらの抽出した各種販売情報をポイントマスタファイル２１０５に記憶する（Ａｃｔ１００４、１００５）。
【００４８】
ＣＰＵ２０１は、Ａｃｔ１００４にて全商品コードに対して、各種販売情報を抽出し、記憶したと判断した場合（Ａｃｔ１００４のＹ）、同一の部門コードが対応付けられている商品コードの購入ポイントを合算し、部門別の購入ポイントを算出する（Ａｃｔ１００５）。Ａｃｔ１００５で算出したポイントは、ポイントマスタファイル２１０５に記憶される（Ａｃｔ１００６）。
【００４９】
そして、ＣＰＵ２０１は、Ａｃｔ１００７に進み、全部門コードについて、集計したか否かを判断する（Ａｃｔ１００７）。集計がされていないと判断した場合（Ａｃｔ１００７のＮ）、再度、Ａｃｔ１００５に戻り、集計が未だとなっている部門コードに対して、各種販売情報を抽出し、ポイントを算出して記憶する。Ａｃｔ１００７にて全部門コードについて集計したと判断した場合（Ａｃｔ１００７のＹ）、集計処理を完了する。
【００５０】
このように構成された本実施形態のポイント管理システムにおいて、商品マスタファイル２１０１と支払種別マスタファイル２１０３にそれぞれ図４，５に示すデータが設定されており、図７、９で示す商取引が発生した場合の作用について説明する。そして、ストアコンピュータ２０にて実行される集計処理の作用について図１０、１１を用いて説明する。
【００５１】
店員は、客が提示したカードのカードデータをカードリーダ１１０にて読み取らせると、ＲＡＭのカードフラグエリアは「１」にセットされる。次に、店員は、ＰＯＳ端末１０のキーボード１０８、スキャナ１０９にて顧客が購入する商品の商品コード、販売点数を入力する。ここでは、図９の取引１を例として一取引において商品Ａを2点、商品Ｂを5点、商品Ｃを1点、商品Ｄを４点、商品Ｅを3点、商品Ｆを1点が購入されたとする。
【００５２】
この場合、商品登録情報バッファ１０３１には、図９に示すように、商品コード（１）、品名（商品Ａ）、単価（１００円）、還元率（１０％）、販売点数（２点）、販売金額（２００円）、購入ポイントである商品別ポイント（２０）の商品情報レコードが記憶される。そして、同様に、商品Ｂ、Ｃ，Ｄ，Ｅ，Ｆについても商品コード、品名、単価、還元率、販売点数、販売金額、購入ポイントである商品別ポイントの商品情報レコードがそれぞれ各種情報に対して記憶される。
【００５３】
これにより、一取引についての売上データが商品情報登録バッファ１０３１に記憶される。
【００５４】
次に、店員は、現金支払いの場合、預かり金額を置数してキーボード１０８の預／現計キーを操作すると、支払種別マスタファイル２１０４に設定されている「現金」による支払の種別に応じた倍率（この場合、１倍）にて商品情報登録バッファ１０３１に記憶されているポイントを倍数する。そして、この倍数されたポイントが最終的に商品情報登録バッファ１０３１に記憶される。この商品情報登録バッファ１０３１に記憶された取引データは、通信インターフェイスを介してストアコンピュータ２０に送信される。
【００５５】
その後、新たな商取引が行なわれると、取引２としてＲＡＭ１０３の商品情報登録バッファ１０３１に、取引データが順次記憶されるとともに、通信インターフェイスを介してストアコンピュータ２０に順次送信される。
【００５６】
ストアコンピュータ２０では、ＰＯＳ端末１０から送信された取引データを売上ファイル２１０５に順次記憶する。そして、例えば、一日の業務終了後、所定の時刻になると、売上ファイル２１０４に記憶されているその日の全取引データを集計するために検索を実行する。そして、その日の全取引データを検索し、この全取引データから商品コード毎に一日で発生した購入ポイントの集計を実行する。この場合、取引毎に発生した一の商品コード毎に購入ポイント等の各種情報を抽出して、これら取引毎に抽出された同一商品について購入ポイントを合算する。これにより一日で発生した一の商品のポイントが算出される。例えば、商品Ａについては、取引1において、２０ポイントが発生し、取引2においては、８０ポイントが発生した場合、これらの取引１と取引２で発生した各ポイントを合算したものを商品Ａの購入ポイントとして算出する。
【００５７】
ストアコンピュータ２０は、全商品について商品毎のポイント算出処理を実行する。その後、部門毎に購入ポイントの算出処理を実行する。
【００５８】
各部門の購入ポイント算出処理は、先に算出した商品毎の購入ポイントと商品コードとを利用して算出される。すなわち、商品コードに対応付けられている部門コードを参照して、同じ部門コードに属する商品コードを抽出する。そして、この抽出された商品コードに対応付けられて記憶されている購入ポイントを合算することで、同じ部門コードに属する全商品の購入ポイントを算出する。
【００５９】
上記のように集計された集計データの一例が、図１１のポイントマスタファイル２１０５となる。図１１のポイントマスタファイル２１０５では、部門１に対応付けられて商品Ａに対応付けられて累積ポイント「２３０」ポイント、商品Ｂに対応付けられて累積ポイント「２００」ポイント、商品Ｃに対応付けて累積ポイント「２５０」ポイントがそれぞれ記憶されており、また、商品Ａ、Ｂ、Ｃが属する部門１の購入ポイントとして部門１の累積ポイント「６８０」ポイントが部門１に対応付けて記憶されている。同様に、商品Ｄに対応付けて販売点数「１２点」、販売金額「２３００円」、商品Ｄの販売により発生したポイント「７２」ポイントがそれぞれ集計されて記憶されている。また、商品Ｅに対応付けて販売点数「１２点」、販売金額「１２０００円」、商品Ｅの販売により発生したポイント「２４０」ポイントがそれぞれ集計されて記憶されている。そして、商品Ｄ、Ｅが属する部門２の購入ポイントとして、この商品Ｄと商品Ｅのポイントを合算したポイント「３１２」ポイントが部門2と対応付けて記憶されている。なお、その他の商品および部門においても同様に、商品名及び部門名がポイントに対応付けて記憶される。
【００６０】
以上、本実施の形態によれば、商品毎に発生した商品の購入ポイントが累積して集計されるので、商品別の購入ポイントの大小を比較することで、どの商品が購入ポイントによる販売促進に貢献しているかについて確認することができる。
【００６１】
また、商品毎の購入ポイントが集計されるのみならず、この集計された商品毎の購入ポイントに基づいて部門毎に購入ポイントが集計されるので部門間での購入ポイントについて把握することができる。これによりどの部門が購入ポイント付与による販売促進に貢献しているかを確認することが可能となる。
【００６２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００６３】
例えば、上記した集計処理は、必ずしもストアコンピュータ２０で実行される必要はなく、例えば、ＰＯＳ端末１０のＲＡＭ１０３に記憶された販売データに基づいて、ＰＯＳ端末１０のＣＰＵ１０１により集計処理が実行されるものであっても良い。
【００６４】
例えば、本実施の形態ではストアコンピュータ２０側で商品毎の購入ポイントを集計するとともに同一の部門に属する商品の購入ポイントを部門毎に集計し、各商品の購入ポイント及び各部門の購入ポイントを算出しているが、ＰＯＳ端末１０側で各商品の購入ポイント及び各部門の購入ポイントを算出するように構成してもよい。
【００６５】
また、集計するタイミングは必ずしも１日単位で行なわれる必要はなく、例えば、月単位でポイント集計を実行してもよい。
【００６６】
現在日時を計時する時計回路を有し、所定の期間ごとのポイント集計を行なうために、当該商品に対して、所定期間ごとのポイントを集計する複数の期間集計記憶部を有してもよい。そして、購入ポイントを集計する場合に、時計機能を参照し、該当する期間の期間集計記憶部で集計を行なうように処理してもよい。
【符号の説明】
【００６７】
１０・・・ＰＯＳ端末
１０１・・・ＣＰＵ
１０２・・・ＲＯＭ
１０３・・・ＲＡＭ
１０３１・・・商品情報登録バッファ
１０３２・・・商品登録情報件数バッファ
１０３３・・・カードフラグエリア
２０・・・ストアコンピュータ
２１０１・・・商品マスタファイル
２１０２・・・顧客マスタファイル
２１０３・・・支払種別マスタファイル
２１０４・・・売上ファイル
２１０５・・・ポイントマスタファイル
【図１】
2014044463.tif 000003
【図２】
2014044463.tif 000004
【図３】
2014044463.tif 000005
【図４】
2014044463.tif 000006
【図５】
2014044463.tif 000007
【図６】
2014044463.tif 000008
【図７】
2014044463.tif 000009
【図８】
2014044463.tif 000010
【図９】
2014044463.tif 000011
【図１０】
2014044463.tif 000012
【図１１】
2014044463.tif 000013